(57)【要約】【課題】信号機に比べて安価な警報発生装置と、歩行者に親しまれる音声発生装置を提供する。【解決手段】警報発生装置は、交差点に進入してくる自転車に対して停止を求めるメッセージを発する。交差点に進入してくる自転車Ｂなどを検知する赤外線センサ２と、明るさを検知する照度センサ３と、上記メッセージを発するスピーカ６と、上記メッセージを点滅表示する表示灯７とを備えている。コントローラ１は、赤外線センサ２が交差点に進入してくる自転車Ｂを検知する信号を発生した際に、上記メッセージをスピーカ６から発生させる。赤外線センサ２の検知信号発生時における照度センサ３の検知照度が所定値に達していない場合には、コントローラ１はスピーカ６からのメッセージの出力と同時に表示灯７を点滅させる。【選択図】図１
0003132300.tif 000002
【実用新案登録請求の範囲】
【請求項１】
交差点に進入してくる自転車又は歩行者に対して停止を求めるメッセージを発する装置であって、交差点に進入してくる自転車又は歩行者を検知する赤外線センサと、明るさを検知する照度センサと、上記メッセージを発するスピーカと、上記メッセージを点滅表示する表示灯と、上記赤外線センサが検知信号を発生した際に上記メッセージをスピーカから発生させるコントローラとを備え、該コントローラは、上記赤外線センサの検知信号発生時における上記照度センサの検知照度が所定値に達していない場合には、上記スピーカからのメッセージの出力と同時に上記表示灯を点滅させることを特徴とする警報発生装置。
【請求項２】
電波時計とタイマとを設け、タイマで設定した夜間の時間帯には、上記コントローラはスピーカからのメッセージの出力を中止することを特徴とする請求項１に記載の警報発生装置。
【請求項３】
太陽電池で発生した電気を蓄えたバッテリから上記コントローラ、表示灯及び電波時計に給電することを特徴とする請求項３に記載の警報発生装置。
【請求項４】
特定の場所を通過する歩行者に対してメッセージを発する装置であって、特定の場所を通過する歩行者を検知する赤外線センサと、電波時計と、複数のメッセージを録音した録音装置と、上記メッセージを発するスピーカと、上記赤外線センサが検知信号を発生した際、上記録音装置から時刻に応じた適当なメッセージを選択して上記スピーカから出力させるコントローラとを備えたことを特徴とする音声発生装置。
【請求項５】
上記録音装置にメッセージを録音するためのマイクを筐体に設けたことを特徴とする請求項４に記載の音声発生装置。
【請求項６】
太陽電池で発生した電気を蓄えたバッテリから上記コントローラ、録音装置及び電波時計に給電することを特徴とする請求項４または請求項５に記載の音声発生装置。
【考案の詳細な説明】
【技術分野】
【０００１】
本考案は、交差点に進入してくる自転車に対して一時停止を求めるメッセージを発する警報発生装置と、特定の場所を通過する歩行者に対してメッセージを発する音声発生装置に関する。
【背景技術】
【０００２】
近年、見通しの悪い交差点での自転車の事故が増えている。その対策として信号機の設置が有効であるが、全ての交差点に設置するのはコスト的に無理がある。
【０００３】
また、登下校時に校内放送で音楽やメッセージを流している学校があるが、校内全体に一律の放送を流しているため、生徒にあまり親しまれていない。従って、登下校に関する挨拶等の躾を、学校において学ぶことが困難となっている。
【考案の開示】
【考案が解決しようとする課題】
【０００４】
本考案は、このような事情に鑑み、信号機に比べて安価な警報発生装置と、歩行者に親しまれる音声発生装置を提供することを目的とする。
【課題を解決するための手段】
【０００５】
上記課題を解決するための警報発生装置は、交差点に進入してくる自転車又は歩行者に対して停止を求めるメッセージを発する装置であって、交差点に進入してくる自転車又は歩行者を検知する赤外線センサと、明るさを検知する照度センサと、上記メッセージを発するスピーカと、上記メッセージを点滅表示する表示灯と、上記赤外線センサが検知信号を発生した際に上記メッセージをスピーカから発生させるコントローラとを備え、該コントローラは、上記赤外線センサの検知信号発生時における上記照度センサの検知照度が所定値に達していない場合には、上記スピーカからのメッセージの出力と同時に上記表示灯を点滅させることを特徴とする。
【０００６】
電波時計とタイマとを備え、タイマで設定した夜間の時間帯には、上記コントローラはスピーカからのメッセージの出力を中止するのが好ましい。
【０００７】
太陽電池で発生した電気を蓄えたバッテリから上記コントローラ、表示灯及び電波時計に給電するのが好ましい。
【０００８】
上記課題を解決するための音声発生装置は、特定の場所を通過する歩行者に対してメッセージを発する装置であって、特定の場所を通過する歩行者を検知する赤外線センサと、電波時計と、複数のメッセージを録音した録音装置と、上記メッセージを発するスピーカと、上記赤外線センサが検知信号を発生した際、上記録音装置から時刻に応じた適当なメッセージを選択して上記スピーカから出力させるコントローラとを備えたことを特徴とする。
【０００９】
上記録音装置にメッセージを録音するためのマイクを筐体に設けるのが好ましい。
【００１０】
太陽電池で発生した電気を蓄えたバッテリから上記コントローラ、録音装置及び電波時計に給電するのが好ましい。
【考案の効果】
【００１１】
本考案の警報装置によれば、交差点に進入してくる自転車に対し、停止を求めるメッセージがスピーカから発せられるとともに、暗くなると、表示灯からもメッセージが点滅表示されるので、自転車に対する注意喚起は十分に行われるが、装置の構成が簡単であるため、コスト的に安価で済む。
【００１２】
本考案の音声発生装置によれば、特定の場所を通過する歩行者に対し、時刻に応じた適当なメッセージがスピーカから発せられるので、歩行者の親しみが増す。
【考案を実施するための最良の形態】
【００１３】
以下、本考案の実施形態を添付図面に基づいて詳細に説明する。
【００１４】
図２は本考案の警報装置のブロック図を示している。
【００１５】
この警報装置は、マイクロコンピュータで構成したコントローラ１を備え、コントローラ１には赤外線センサ２、照度センサ３、電波時計４及びタイマ５からの信号が入力される。コントローラ１は、これらの信号に基づいて、後述のようにスピーカ６と表示灯７を作動させる。
【００１６】
警報装置の筐体８には、図１に示すように赤外線センサ２、照度センサ３、電波時計４のアンテナ４ａ及びスピーカ６を設置してある。表示灯７には、「自転車もとまれ」というメッセージを表示してある。また、太陽電池９で発生した電気は、バッテリ（図示せず）に蓄えられてコントローラ１、表示灯７及び電波時計４に給電される。
【００１７】
この装置は、図３に示すように、見通しの悪い交差点の手前の支柱１０に取り付ける。筐体８の高さを２.５ｍにし、赤外線照射範囲Ｅを７ｍ〜１５ｍにする。なお、支柱１０の上端には太陽電池９を取り付ける。
【００１８】
いま、赤外線照射範囲Ｅに自転車Ｂが進入してくると、これを赤外線センサ２が検知し、その検知信号に基づいて、コントローラ１は「ピンポン」というアラーム音と共に、「自転車も止まりましょう」というメッセージをスピーカ６から出力させる。そのとき、照度センサ２の検知照度が所定値に達していない場合、コントローラ１はスピーカ６からのメッセージの出力と同時に表示灯７を点滅させる。つまり、照度センサ２の検知照度の所定値は、表示灯７の点滅が視認可能な値にすればよい。また、タイマ５で設定した夜間の時間帯には、コントローラ１はスピーカ６からのメッセージの出力を中止するようにしてある。
【００１９】
この警報装置によれば、交差点に進入してくる自転車に対し、停止を求めるメッセージがスピーカ６から発せられるとともに、暗くなると、表示灯７からもメッセージが点滅表示されるので、自転車に対する注意喚起は十分に行われる。更に、装置の構成が簡単であるため、コスト的に安価で済む。また、太陽電池９で発生した電気を蓄えたバッテリからコントローラ１、表示灯７及び電波時計４に給電しているので、ランニングコストも安価である。
【００２０】
さらに、タイマ５で設定した夜間の時間帯には、スピーカ６からメッセージが出力されなくなるので、付近の住民に迷惑をかけることはない。
【００２１】
図５は本考案の音声発生装置のブロック図を示している。
【００２２】
この音声発生装置は、マイクロコンピュータで構成したコントローラ２０を備え、コントローラ２０には赤外線センサ２１、電波時計２２及び録音装置２３からの信号が入力される。録音装置２３には、アニメ声優による複数のメッセージが録音されているが、マイク２５からのメッセージ録音も可能である。コントローラ１は、赤外線センサ２１と電波時計２２からの信号に基づいて、時刻に応じた適当なメッセージを録音装置２３から選択してスピーカ２４から出力させる。
【００２３】
音声発生装置の筐体２６には、図４に示すように赤外線センサ２１、電波時計２２のアンテナ２２ａ、スピーカ２４及びマイク２５を設置してある。また、太陽電池２７で発生した電気は、バッテリ（図示せず）に蓄えられてコントローラ２０、電波時計２２及び録音装置２３に給電される。
【００２４】
この装置は、図６に示すように、学校の校門付近の支柱２８に取り付ける。筐体２６の高さを２.５ｍにし、赤外線照射範囲Ｅは１ｍ〜５ｍにする。なお、支柱２８の上端には太陽電池２７を取り付ける。
【００２５】
いま、赤外線照射範囲Ｅに生徒Ｐが進入してくると、これを赤外線センサ２１が検知し、その検知信号と電波時計２２の信号に基づいて、コントローラ１は次のようなメッセージをスピーカ６から出力させる。
【００２６】
登校時：「おはようございます。今日も元気に過ごしましょう。」
【００２７】
下校時：「さようなら気を付けてお家に帰りましょう。」
【００２８】
あるいは、これらのメッセージに続けてマイク２５で録音したメッセージを流してもよい。
【００２９】
この音声発生装置によれば、校門を通過する生徒Ｐに対し、時刻に応じた適当なメッセージがスピーカ２４から発せられるので、生徒Ｐの親しみが増す。
【００３０】
なお、この音声発生装置でも、太陽電池２７で発生した電気を蓄えたバッテリからコントローラ２０、電波時計２２及び録音装置２３に給電しているので、ランニングコストが安価で済む。
【図面の簡単な説明】
【００３１】
【図１】本考案の警報発生装置を示す図である。
【図２】同装置のブロック図である。
【図３】同装置の動作を説明する図である。
【図４】本考案の音声発生装置を示す図である。
【図５】同装置のブロック図である。
【図６】同装置の動作を説明する図である。
【符号の説明】
【００３２】
１      コントローラ
２      赤外線センサ
３      照度センサ
４      電波時計
５      タイマ
６      スピーカ
７      表示灯
８      筐体
９      太陽電池
２０    コントローラ
２１    赤外線センサ
２２    電波時計
２４    スピーカ
２５    マイク
２６    筐体
【図１】
0003132300.tif 000003
【図２】
0003132300.tif 000004
【図３】
0003132300.tif 000005
【図４】
0003132300.tif 000006
【図５】
0003132300.tif 000007
【図６】
0003132300.tif 000008
【手続補正書】
【提出日】平成19年3月27日(2007.3.27)
【手続補正１】
【補正対象書類名】実用新案登録請求の範囲
【補正対象項目名】請求項３
【補正方法】変更
【補正の内容】
【請求項３】
太陽電池で発生した電気を蓄えたバッテリから上記コントローラ、表示灯及び電波時計に給電することを特徴とする請求項１又は請求項２に記載の警報発生装置。